【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
カートリッジ組立品であって、
毛細管を含む前記カートリッジ組立品の能動部分と、
サセプタであって、前記毛細管を部分的に囲むように構成される、サセプタと、
少なくとも前記毛細管および前記サセプタを囲む一対の動かすことが可能なカバーと、を備える、カートリッジ組立品。
【請求項２】
ハンドルおよび絶縁体を備え、前記ハンドルが前記絶縁体に取り付けられ、前記絶縁体が前記サセプタの上側表面上に配置され、前記一対の動かすことができるカバーが前記絶縁体および前記サセプタを少なくとも部分的に囲む、請求項１に記載のカートリッジ組立品。
【請求項３】
前記絶縁体が、硬化剤を添加するために構成された少なくとも一つの芯経路および少なくとも一つの芯ポートを含み、前記サセプタが、前記少なくとも一つの芯経路に接触し、それによって、硬化されると、前記絶縁体および前記サセプタが接続されるように、前記硬化剤を受けるように適合された中空構造を作り出すように構成された第一の溝を含む、請求項２に記載のカートリッジ組立品。
【請求項４】
前記サセプタが、前記毛細管を受けるように適合された第二の溝を有し、前記毛細管の遠位端および前記毛細管の近位端が前記サセプタの外側に残る、請求項３に記載のカートリッジ組立品。
【請求項５】
前記絶縁体が、前記サセプタから前記ハンドルへの熱伝達を放散するように適合された一つ以上の切り抜きを含む、請求項２〜４のいずれか一項に記載のカートリッジ組立品。
【請求項６】
前記一対の動かすことが可能なカバーのそれぞれが熱放散フィンを含み、前記熱放散フィンが、熱を放散させて、ユーザーと前記毛細管の毛細管先端および前記サセプタを含む前記カートリッジ組立品の加熱された構成要素との間に空間を作り出すように構成される、請求項１〜５のいずれか一項に記載のカートリッジ組立品。
【請求項７】
前記一対の動かすことが可能なカバーのそれぞれが保護アームを含み、前記保護アームが、前記サセプタの遠位端と前記毛細管の遠位端とを囲むように構成される、請求項１〜６のいずれか一項に記載のカートリッジ組立品。
【請求項８】
前記カートリッジ組立品と前記カートリッジ組立品に関連する情報を識別するように構成されるデータカードを備える、請求項１〜７のいずれか一項に記載のカートリッジ組立品。
【請求項９】
エアロゾル送達システムであって、
エアロゾル送達ユニットであって、
カートリッジ組立品を受けるように構成されたカートリッジレシーバ、および、
前記カートリッジ組立品を受け、毛細管内の液剤を加熱して、誘導加熱によってエアロゾルを生成するように構成されたインダクタ、を含む、エアロゾル送達ユニット、および、
ポンプであって、
前記液剤を含む容器を受けるように構成された容器ホルダーであって、軸を中心に旋回して、前記容器の下部にある開口部を露出させるように構成される、容器ホルダー、
力を加えて前記液剤を前記容器の遠位端から前記毛細管の近位端へと押し出すプランジャー、および、
前記容器を前記容器ホルダー内に支持するように構成された圧力ジャケット、を備える、ポンプ、を備える、エアロゾル送達システム。
【請求項１０】
前記容器がシリンジである、請求項９に記載のエアロゾル送達システム。
【請求項１１】
前記エアロゾルの患者への送達または前記患者の治療状態、または前記エアロゾルの患者への送達および前記患者の治療状態に対する命令を入力するためのディスプレイを有する、オペレーター用インターフェースと、
電力の供給源を、前記エアロゾル送達ユニット、前記ポンプ、および前記オペレーター用インターフェース、の少なくとも一つに供給するように構成された、電力制御ユニットと、を備える、請求項９または１０に記載のエアロゾル送達システム。
【請求項１２】
前記エアロゾル送達ユニットの前記カートリッジレシーバ内に配置されるように構成されたカートリッジ組立品であって、一対の動かすことが可能なカバーと前記カートリッジの能動部分とを含み、前記カートリッジの前記能動部分が、サセプタ、前記サセプタによって部分的に囲まれる毛細管、絶縁体、およびハンドル、を含み、前記絶縁体が、前記サセプタと前記ハンドルとの間に配置され、前記一対の動かすことが可能なカバーが、前記絶縁体、前記毛細管、および前記サセプタを囲むように構成される、カートリッジ組立品を備える、請求項１０又は１１に記載のエアロゾル送達システム。
【請求項１３】
前記一対の動かすことが可能なカバーのそれぞれが熱放散フィンを含み、前記熱放散フィンが、熱を放散し、ユーザーと露出された加熱された毛細管先端および前記サセプタとの間に空間を作り出す、請求項１２に記載のエアロゾル送達システム。
【請求項１４】
前記一対の動かすことが可能なカバーのそれぞれが保護アームを含み、前記保護アームが、前記サセプタの遠位端および前記毛細管の遠位端を囲むように構成される、請求項１２または１３に記載のエアロゾル送達システム。
【請求項１５】
前記カートリッジレシーバ内に配置され、前記カートリッジ組立品を受けるように、および前記カートリッジ組立品上の前記一対の動かすことが可能なカバーを前記カートリッジの前記能動部分から分離するように構成された、一対の配置ピンを備える、請求項１２〜１４のいずれか一項に記載のエアロゾル送達システム。
【請求項１６】
前記カートリッジレシーバ内に配置されるカートリッジ識別組立品であって、前記カートリッジ組立品上のデータカードを識別するように構成される、カートリッジ識別組立品を備える、請求項９〜１５のいずれか一項に記載のエアロゾル送達システム。
【請求項１７】
前記エアロゾル送達ユニットがカートリッジロックを含み、前記カートリッジロックが、前記カートリッジ組立品を前記カートリッジレシーバ内にロックするように構成される、請求項９〜１６のいずれか一項に記載のエアロゾル送達システム。
【請求項１８】
前記エアロゾルを受け、前記エアロゾルをキャリガスと組み合わせるためのエアロゾル移行アダプターであって、センサーによって検出されて、前記エアロゾル移行アダプターが前記カートリッジレシーバ内に配置されている時に信号を送るように適合される、エアロゾル移行アダプターを備える、請求項９〜１７のいずれか一項に記載のエアロゾル送達システム。
【請求項１９】
前記エアロゾル移行アダプターが、
近位端および遠位端を有するハウジングであって、前記近位端が前記毛細管から前記エアロゾルを受けるためのエアロゾル通路を有し、前記遠位端が出口ポートを有し、前記ハウジングが前記遠位端と前記近位端との間に長さを有する、ハウジングと、
複数のキャリガス出口ポートと連通するガス供給源から前記キャリガスを受けるためのキャリアガス接続ポートであって、前記複数のキャリアガス出口ポートが、前記エアロゾルの流れを部分的に囲むように前記エアロゾル通路に隣接して配置される、キャリアガス接続ポートと、
前記エアロゾルを前記エアロゾル通路から、および前記キャリアガスを前記複数のキャリアガス出口ポートから受け、キャリアガス流を前記ハウジングの前記長さに沿って前記出口ポートに向けて前記エアロゾルの主流の方向と平行に少なくとも部分的に囲んで流れるよう方向付けるように適合された、内側くぼみと、
前記エアロゾルをエアロゾル化活性剤の必要に応じて患者に送達するための前記ハウジングの前記遠位端上の前記出口ポートと、を備える、請求項１８に記載のエアロゾル送達システム。
【請求項２０】
前記内側くぼみが、前記ハウジングの前記遠位端に向かって外向きに拡張する円錐形の内壁を有する近位部分と、先細りの内径を有する遠位部分と、を有し、
前記キャリアガスを前記ガス供給源から受けるための前記ガス接続ポートが、前記キャリアガスを受けるための少なくとも一つのガス入力ポートを含み、前記少なくとも一つのガス入力ポートが、キャリアガス流を一つ以上のガス出口ポートに方向付ける、請求項１９に記載のエアロゾル送達システム。
【請求項２１】
前記カートリッジレシーバが、
前記カートリッジ組立品の前記能動部分を、前記インダクタ、移行アダプターくぼみ、および移行アダプター配置溝内に誘導するように構成され、前記エアロゾル移行アダプター上の前記移行アダプターフラグと接続する能動整列溝であって、前記エアロゾル移行アダプターが前記移行アダプター配置溝に挿入された時に、前記移行アダプターフラグが前記センサーによって検出され、前記エアロゾル移行アダプターが前記カートリッジレシーバ内に配置されたと信号を送る、能動整列溝を含む、請求項１８〜２０のいずれか一項に記載のエアロゾル送達システム。
【請求項２２】
前記エアロゾル送達ユニットが一つ以上のセンサーを含み、前記一つ以上のセンサーが、前記カートリッジ組立品または前記カートリッジの前記能動部分、または前記カートリッジ組立品および前記カートリッジ組立品の前記能動部分の前記カートリッジレシーバ内の存在、前記カートリッジレシーバ内の移行アダプターの存在、および前記カートリッジの前記能動部分を前記カートリッジの近位端から前記カートリッジレシーバの遠位端に移動する際の前記エアロゾル送達ユニットの前記カートリッジレシーバ内の前記毛細管の毛細管先端と前記移行アダプターとの係合の存在を検出するように構成される、請求項１２〜２１のいずれか一項に記載のエアロゾル送達システム。
【請求項２３】
エアロゾルを生成する方法であって、
カートリッジ組立品をエアロゾル送達ユニットのカートリッジレシーバに配置することであって、前記カートリッジ組立品が（ａ）（ｉ）毛細管、（ｉｉ）前記毛細管を少なくとも部分的に囲むように構成されたサセプタ、（ｉｉｉ）ハンドル、および（ｉｖ）絶縁体、を含み、前記ハンドルおよび前記絶縁体が前記サセプタの上側表面上に配置される、前記カートリッジの能動部分と、（ｂ）前記絶縁体、前記毛細管、および前記サセプタを少なくとも部分的に囲む一対の動かすことが可能なカバーと、を含む、配置することと、
前記カートリッジの前記能動部分をインダクタ内に移動させることによって、前記一対の動かすことが可能なカバーを動かすことと、を含む、方法。
【請求項２４】
液剤を前記毛細管内でインダクタによる誘導によってエアロゾルに加熱することを含む、請求項２３に記載の方法。
【請求項２５】
前記液剤をシリンジポンプから供給することであって、前記シリンジポンプが、前記液剤を含むシリンジを受けるように構成されたシリンジホルダーを含み、前記シリンジホルダーが、軸を中心に旋回して、前記シリンジの下部にある開口部を露出させる、供給することと、
力をプランジャーに加えて、前記液剤を前記シリンジの遠位端から前記エアロゾル送達ユニット内に収容される前記毛細管の近位端へと押し出すことと、
前記シリンジを圧力ジャケットによって前記シリンジホルダー内に支持することと、を含む、請求項２４に記載の方法。
【請求項２６】
前記カートリッジレシーバ内の、前記カートリッジ組立品または前記カートリッジの前記能動部分、または前記カートリッジ組立品および前記カートリッジの前記能動部分の存在を検出することと、
前記カートリッジレシーバ内の、移行アダプターの存在を検出することと、
前記カートリッジレシーバ内の、前記毛細管の毛細管先端と前記移行アダプターとの係合を検出することと、のうちの一つ以上を含む、請求項２３〜２５のいずれか一項に記載の方法。
【請求項２７】
前記エアロゾル送達ユニットの温度を監視して、前記エアロゾル送達ユニットがおよそ１５０℃〜３００℃の動作温度範囲内で動作しているかどうかを決定すること、を含む、請求項２３〜２６のいずれか一項に記載の方法。
【請求項２８】
前記カートリッジ組立品上の前記一対の動かすことが可能なカバーを、前記カートリッジの前記能動部分を前記カートリッジ組立品が前記カートリッジレシーバ内に配置される位置から移動させる時に前記カートリッジの前記能動部分から分離することを含む、請求項２３〜２７のいずれか一項に記載の方法。
【請求項２９】
前記カートリッジ組立品上のデータカードを、前記カートリッジ組立品内に配置されたカートリッジ識別組立品で識別することを含む、請求項２３〜２８のいずれか一項に記載の方法。
【請求項３０】
前記毛細管およびサセプタの加熱の間に前記カートリッジレシーバ内で前記カートリッジの前記能動部分をロックすること、を含む、請求項２３〜２９のいずれか一項に記載の方法。
【請求項３１】
前記エアロゾルをエアロゾル移行アダプター内でキャリアガスと組み合わせることを含む、請求項２４に記載の方法。